【手続補正書】
【提出日】平成28年7月11日(2016.7.11)
【手続補正１】
【補正対象書類名】明細書
【補正対象項目名】０００７
【補正方法】変更
【補正の内容】
【０００７】
特許文献２で示されているような、処理トレイとスタックトレイのそれぞれに整合手段を備えるシート後処理装置は、処理トレイ上に搬送されたシートを処理トレイに設けた整合手段によってシートの幅方向から整合し、その後、スイッチバックさせたシートの後端が基準フェンスに突き当てることでシートの搬送方向での位置を整合している。このとき、シートの幅方向での整合は、長尺シートの場合にはシートがスタックトレイにも架かるため、処理トレイに設けた整合手段による整合動作と共に、スタックトレイの整合手段によってもシートの整合を行っている。
【手続補正２】
【補正対象書類名】明細書
【補正対象項目名】０００８
【補正方法】変更
【補正の内容】
【０００８】
しかしながら、長尺シートはシートの搬送方向の寸法が長いため、排紙口から排出されて搬送するときに搬送方向に対してずれた状態、いわゆるスキューした状態で搬送されたり、或いは排出口から排出された状態で既にスキューしていることもある。このようにスキューした状態で処理トレイに導入されてくると、その位置ずれの度合いが大きい場合には、図２１で示すように、シートの搬送方向での後端の角部が処理トレイの整合手段と当接して座屈するとジャム等の不具合を生じる。
【手続補正３】
【補正対象書類名】特許請求の範囲
【補正対象項目名】全文
【補正方法】変更
【補正の内容】
【特許請求の範囲】
【請求項１】
排紙口を有する排紙経路と、
前記排紙経路に沿ってシートを所定の搬送方向に搬送する搬送手段と、
前記排紙口から搬送されたシートを後処理するための処理トレイと、
前記処理トレイに搬送されたシートの前記搬送方向での後端部に当接する規制ストッパと、
前記処理トレイ上に搬送されたシートを前記規制ストッパに向けて掻き込むシート掻き込み手段と、
前記排紙口から前記規制ストッパに到達したシートを、シートの前記搬送方向と直交する方向に整合する第１の整合手段と、
前記第１の整合手段に対してシートの前記搬送方向での下流側に配置され、前記排紙口から前記処理トレイ上に搬送されたシートを、シートの前記搬送方向と直交する方向に整合する第２の整合手段と、
前記処理トレイ上のシートに所定の後処理を施すシート後処理手段と、
後処理後のシートを前記処理トレイから排出する排出手段と、
前記排出手段によって排出される後処理されたシートを集積するスタックトレイと、
前記第１の整合手段及び前記第２の整合手段の動作を制御する制御手段と、を備え、
前記制御手段は、前記シート掻き込み手段が掻き込み動作するとき、前記排紙口から前記処理トレイに搬送されたシートのサイズ情報に応じて、前記第１の整合手段又は前記第２の整合手段の何れかをシートの幅方向の寸法より長い間隔での整合である予備整合動作を行わせることを特徴とするシート後処理装置。
【請求項２】
前記制御手段は、前記処理トレイに搬送されたシートが前記規制ストッパに到達した後に、前記第１の整合手段をシートの幅方向の寸法と略等しい間隔での整合である整合動作を行わせることを特徴とする請求項１記載のシート後処理装置。
【請求項３】
前記搬送手段による搬送速度は高速搬送モードに切換可能であって、
前記高速搬送モードにおいて、前記制御手段は、前記第２の整合手段を前記予備整合動作させた後に、前記第２の整合手段をシートが受け入れ可能な受け入れ状態にすることを特徴とする請求項１に記載のシート後処理装置。
【請求項４】
前記制御手段は、前記第１の整合手段によるシートの前記整合動作が終了した後に、前記第２の整合手段を前記シート受け入れ状態にすることを特徴とする請求項３に記載のシート後処理装置。
【請求項５】
前記制御手段は、前記シート掻き込み手段が掻き込み動作を開始した後に、前記第２の整合手段を前記受け入れ状態にすることを特徴とする請求項３に記載のシート後処理装置。
【請求項６】
前記制御手段は、前記第１の整合手段による前記整合動作に合わせて、前記第２の整合手段を前記受け入れ状態にすることを特徴とする請求項３に記載のシート後処理装置。
【請求項７】
前記制御手段は、前記後処理手段による後処理動作が終了した後に、前記第２の整合手段を前記受け入れ状態にすることを特徴とする請求項３に記載のシート後処理装置。
【請求項８】
前記制御手段は、前記第１の整合手段を前記整合動作させた後に、前記第２の整合手段を前記整合動作させることを特徴とする請求項２に記載のシート後処理装置。
【請求項９】
前記制御手段は、前記処理トレイに搬送されたシートが前記規制ストッパに到達した後に、前記第１の整合手段と共に前記第２の整合手段を前記整合動作させることを特徴とする請求項２に記載のシート後処理装置。
【請求項１０】
前記制御手段は、前記第２の整合手段を前記整合動作させた後に、前記第１の整合手段を前記整合動作させることを特徴とする請求項２に記載のシート後処理装置。
【請求項１１】
前記制御手段は、前記スタックトレイにシートを排出する際には、前記第２の整合手段をシート受け入れるシート受け入れ状態とすることを特徴とする請求項８乃至１０の何れかに記載のシート後処理装置。
【請求項１２】
前記制御手段は、前記第２の整合手段を前記受け入れ状態とした後に、前記第１の整合手段を前記受け入れ状態とすることを特徴とする請求項１１に記載のシート後処理装置。
【請求項１３】
前記制御手段は、前記第２の整合手段が前記予備整合動作させた後に、前記第１の整合手段を前記予備整合動作させることを特徴とする請求項１又は２に記載のシート後処理装置。
【請求項１４】
前記第１の整合手段は、少なくとも一方がシートの前記搬送方向と直交するシート幅方向に位置移動する左右一対の整合板を備えたことを特徴とする請求項１乃至１３の何れかに記載のシート後処理装置。
【請求項１５】
前記第２の整合手段は、少なくとも一方がシートの前記搬送方向と直交するシート幅方向に位置移動する左右一対の整合部材を備えて、
前記整合部材は、前記排紙口から前記処理トレイに搬送されるシートの下面を支持するシート支持面と、前記処理トレイ上に搬送されたシートの側端面を所定の処理位置に整合するサイド規制面とを有することを特徴とする請求項１乃至１４の何れかに記載のシート後処理装置。
【請求項１６】
前記整合部材の少なくとも一方を高さ方向に上下動させる高さ方向シフト手段を備え、
前記制御手段は、前記排紙口から前記処理トレイにシートを搬送する際には前記シート支持面が第１の高さ位置となり、前記処理トレイから前記スタックトレイにシートを搬送する際には前記シート支持面が第２高さ位置となるよう前記高さ方向シフト手段を制御することを特徴とする請求項１５に記載のシート後処理装置。
【請求項１７】
前記シート支持面は、前記第１の高さ位置ではシートを処理トレイの紙載面とほぼ同一の高さ姿勢で支持し、前記第２の高さ位置ではシートを処理トレイの紙載面から下方に湾曲させる姿勢で支持することを特徴とする請求項１６に記載のシート後処理装置。
【請求項１８】
前記整合部材は、前記第１及び第２の高さ位置間を揺動可能に軸支持されていることを特徴とする請求項１７に記載のシート後処理装置。
【請求項１９】
前記整合部材は、前記第１の高さ位置の状態で前記スタックトレイ上の最上シート面を押圧するようにスタックトレイ上の最上シートの積載量に応じて上下動可能に構成されていることを特徴とする請求項１６乃至１８の何れかに記載のシート後処理装置。
【請求項２０】
前記制御手段は、前記高さ方向シフト手段を制御して、前記整合部材を前記排紙口から前記処理トレイ又は前記処理トレイから前記スタックトレイに搬送されるシートの何れの移動軌跡からも退避している第３の高さ位置に移動可能にしたことを特徴とする請求項１６乃至１９の何れかに記載のシート後処理装置。
【請求項２１】
前記後処理手段は、前記処理トレイに積載されたシートを綴じ処理することを特徴とする請求項１乃至２０の何れかに記載のシート後処理装置。
【請求項２２】
シート上に画像を形成する画像形成装置と、前記画像形成装置から搬送されてきたシートに後処理を施してスタックトレイに収納するシート後処理装置とから構成され、前記シート後処理装置は請求項１乃至２１の何れかに記載のシート後処理装置であることを特徴とする画像形成システム。